(57)【要約】【課題】自動的にＥＶＦやＬＣＤ等の表示手段の視認性を向上させることができるデジタルカメラを提供する。【解決手段】電子ファインダが所定の解像度と所定の更新レートに設定される第１の表示モードと、電子ファインダが第１の表示モードの所定の解像度よりも低く、かつ、第１の表示モードの所定の更新レートよりも高い状態である第２の表示モードと、に切り換え可能となっているデジタルカメラである。撮影シーン選択手段によって選択された撮影シーンに応じて、第１の表示モードと第２の表示モードとのいずれかに自動的に切り替えられる。【選択図】      図５
2006025008.tif 000002
【特許請求の範囲】
【請求項１】
電子ファインダが所定の解像度と所定の更新レートに設定される第１の表示モードと、
前記電子ファインダが前記第１の表示モードの所定の解像度よりも低く、かつ、前記第１の表示モードの所定の更新レートよりも高い状態である第２の表示モードと、に切り換え可能となっており、
撮影シーン選択手段によって選択された撮影シーンに応じて、前記第１の表示モードと第２の表示モードとのいずれかに自動的に切り替えられるようになっていることを特徴とする撮影装置。
【請求項２】
前記撮影シーンとしてポートレートモードが選択されると、前記第１の表示モードに切り替えられ、前記撮影シーンとしてスポーツモードが選択されると、前記第２の表示モードに切り替えられる請求項１に記載の撮影装置。
【請求項３】
電子ファインダが所定の解像度と所定の更新レートに設定される第１の表示モードと、
前記電子ファインダが前記第１の表示モードの所定の解像度よりも低く、かつ、前記第１の表示モードの所定の更新レートよりも高い状態である第２の表示モードと、に切り換え可能となっており、
撮影レンズのズーム状態が、所定状態よりも広角側にある場合に前記第１の表示モードに切り替えられ、
前記撮影レンズのズーム状態が、前記所定状態よりも望遠側にある場合に前記第２の表示モードに切り替えられるようになっていることを特徴とする撮影装置。
【請求項４】
電子ファインダが所定の解像度と所定の更新レートに設定される第１の表示モードと、
前記電子ファインダが前記第１の表示モードの所定の解像度よりも低く、かつ、前記第１の表示モードの所定の更新レートよりも高い状態である第２の表示モードと、に切り換え可能となっており、
被写界深度が、所定状態よりも深い場合に前記第１の表示モードに切り替えられ、
前記被写界深度が、前記所定状態よりも浅い場合に前記第２の表示モードに切り替えられるようになっていることを特徴とする撮影装置。
【発明の詳細な説明】
【技術分野】
【０００１】
本発明は、デジタルカメラ等の撮影装置に係り、特に、電子ファインダの視認性が向上した撮影装置に関する。
【背景技術】
【０００２】
近年、急速に普及しているデジタルカメラ（電子カメラ）において、表示手段として、電子ビューファインダ（ＥＶＦ）と液晶ディスプレイ（ＬＣＤ）の２種のものを備える機種が多く見られる。そして、これらの表示手段の視認性を向上させる改良技術として、各種の提案がなされている（特許文献１〜４参照）。
【０００３】
このうち、特許文献１は、電子ビューファインダ（ＥＶＦ）と液晶ディスプレイ（ＬＣＤ）の両者を備える構成において、ＥＶＦがＬＣＤの表示対象内を拡大した映像を表示する内容の提案である。特許文献２は、ＥＶＦの明るさを最適化することにより、視認性を向上させる内容の提案である。
【０００４】
特許文献３は、ＥＶＦの更新レートを可変とし、デジタルカメラの電力負荷を低減させる内容の提案である。特許文献４は、撮影モード毎の特徴に応じてＩＳＯ感度を制御し、適正露出の撮影状態とする内容の提案である。
【特許文献１】特開２００１−１７７７４１号公報
【特許文献２】特開２００１−３０９２１１号公報
【特許文献３】特開２００３−２４４５２９号公報
【特許文献４】特開２００３−５２４７号公報
【発明の開示】
【発明が解決しようとする課題】
【０００５】
しかしながら、従来の技術では、表示手段の視認性を向上させる方法には問題点が多かった。すなわち、ＥＶＦやＬＣＤで表示する際の解像度や更新レートは、映像信号の帯域によって制約を受けるため、解像度を上げると更新レートを下げざるを得ず、一方、更新レートを上げると解像度を落とさざるを得ない。
【０００６】
これに対し、撮影用途に応じて、解像度や更新レートを切り替えられるようにする構成も考えられるものの、ユーザが自ら切り替えて操作するのでは、利便性に劣る。
【０００７】
また、前記従来の提案でも、上記の問題点に対処できるものは見当たらない。たとえば、特許文献３は、ＥＶＦの更新レートを可変としているが、既述のように、デジタルカメラの電力負荷を低減させるためにＥＶＦの更新レートを可変としているものであり、視認性の向上には寄与していない。
【０００８】
また、特許文献４においても、ＩＳＯ感度の制御に関するものであり、撮影モード毎の特徴に基づいてＥＶＦの視認性を向上させる構成のものではない。
【０００９】
本発明はこのような事情に鑑みてなされたもので、自動的にＥＶＦやＬＣＤ等の表示手段の視認性を向上させることができるデジタルカメラ等の撮影装置を提供することを目的とする。
【課題を解決するための手段】
【００１０】
前記目的を達成するために、請求項１に係る本発明は、電子ファインダが所定の解像度と所定の更新レートに設定される第１の表示モードと、前記電子ファインダが前記第１の表示モードの所定の解像度よりも低く、かつ、前記第１の表示モードの所定の更新レートよりも高い状態である第２の表示モードと、に切り換え可能となっており、撮影シーン選択手段によって選択された撮影シーンに応じて、前記第１の表示モードと第２の表示モードとのいずれかに自動的に切り替えられるようになっていることを特徴とする撮影装置を提供する。
【００１１】
請求項１に係る本発明によれば、たとえば電子ビューファインダ（ＥＶＦ）が、第１の表示モードと、この解像度よりも低く、かつ、この更新レートよりも高い第２の表示モードと、に切り換え可能となっており、自動露出方式のモード選択により、いずれかに自動的に切り替えられる。これにより、請求項２のように、スポーツモード時には、第２の表示モードによって動きが追いやすくなり、ポートレートの撮影やマクロ時には、第１の表示モードによりピント確認が容易であり解像度を高くできる。したがって、自動的にＥＶＦやＬＣＤ等の表示手段の視認性を向上させることができる撮影装置を提供できる。
【００１２】
請求項３に係る本発明は、電子ファインダが所定の解像度と所定の更新レートに設定される第１の表示モードと、前記電子ファインダが前記第１の表示モードの所定の解像度よりも低く、かつ、前記第１の表示モードの所定の更新レートよりも高い状態である第２の表示モードと、に切り換え可能となっており、撮影レンズのズーム状態が、所定状態よりも広角側にある場合に前記第１の表示モードに切り替えられ、前記撮影レンズのズーム状態が、前記所定状態よりも望遠側にある場合に前記第２の表示モードに切り替えられるようになっていることを特徴とする撮影装置を提供する。
【００１３】
請求項３に係る本発明によれば、撮影レンズが広角側（ＷＩＤＥ側）にある場合に第１の表示モードに切り替えられ、撮影レンズが望遠側（ＴＥＬＥ側）にある場合に第２の表示モードに切り替えられるので、たとえば、手ブレに影響されやすい望遠側で更新レートが高い状態になり、ＥＶＦやＬＣＤ等の表示手段の視認性を向上させることができる。
【００１４】
請求項４に係る本発明は、電子ファインダが所定の解像度と所定の更新レートに設定される第１の表示モードと、前記電子ファインダが前記第１の表示モードの所定の解像度よりも低く、かつ、前記第１の表示モードの所定の更新レートよりも高い状態である第２の表示モードと、に切り換え可能となっており、被写界深度が、所定状態よりも深い場合に前記第１の表示モードに切り替えられ、前記被写界深度が、前記所定状態よりも浅い場合に前記第２の表示モードに切り替えられるようになっていることを特徴とする撮影装置を提供する。
【００１５】
請求項４に係る本発明によれば、被写界深度が深い場合に第１の表示モードに切り替えられ、被写界深度が浅い場合に第２の表示モードに切り替えられるので、速い追随性を要求されるピントが狭い場合、及び、解像度が要求される絞られている場合のいずれにも対応でき、ＥＶＦやＬＣＤ等の表示手段の視認性を向上させることができる。
【００１６】
なお、被写界深度は、焦点距離、Ｆナンバー、許容錯乱円直径、及び被写体距離により定まる値である。
【発明の効果】
【００１７】
本発明によれば、ＥＶＦやＬＣＤ等の表示手段の視認性を向上させることができる撮影装置を提供することができる。
【発明を実施するための最良の形態】
【００１８】
以下、添付図面に従って本発明に係る撮影装置の好ましい実施の形態について詳説する。
【００１９】
図１乃至図３はそれぞれ、本発明が適用されるデジタルカメラの外観を示した正面図、平面図及び背面図である。図１に示されるように、デジタルカメラ１０の正面には、撮影レンズ（鏡筒）１２、ファインダ窓１４、ストロボ１６、ストロボ調光センサー１８などが設けられており、また、デジタルカメラ１０の内部で撮影レンズ１２の結像位置には、図１において図示しないＣＣＤ（撮像素子）５２が配置されている。
【００２０】
図２に示されるようにデジタルカメラ１０の上面には、シャッタボタン２２と電源スイッチ２４が設けられている。シャッタボタン２２は２段階式に構成され、シャッタボタン２２を軽く押して止める「半押し」の状態で自動ピント合わせ（ＡＦ）及び自動露出制御（ＡＥ）が作動してＡＦとＡＥをロックし、「半押し」から更に押し込む「全押し」することにより後述する撮影が行われる。
【００２１】
図３に示されるようにデジタルカメラ１０の背面には、文字表示用液晶パネル２６、表示手段を構成する液晶モニタ（ＬＣＤ）２８、モードスイッチ３０、ズーム中心位置指示手段を構成する十字カーソルボタン３２、表示手段を構成するファインダ３４、ズーム倍率指示手段を構成するズーム拡大／縮小ボタン４４、４６などが設けられている。
【００２２】
文字表示用液晶パネル２６は、カメラの状態や撮影モードなどに関する情報（いわば撮影ステータス）を表示するものであり、たとえば、内蔵されているバッテリの残量チェック表示、撮影可能コマ数の表示、ストロボ発光有無の表示などが行われる。なお、文字表示用液晶パネル２６の横にはストロボ発光の有無を設定するストロボボタン３６やマクロ撮影を設定するマクロボタン３８が設けられている。
【００２３】
ＬＣＤ２８は主として画像を表示するもので、撮影前に撮影画像の確認を行えるように撮影レンズ１２にて撮影された画像（スルー動画）を表示させ、また、デジタルカメラ１０に装填されたメモリカード６４（図４参照）から記録済みの画像を読み取って再生表示させるものである。なお、ＬＣＤ２８の上部には表示ボタン４２が配置され、ＬＣＤ２８の表示の有無をオン／オフ切り替えできる。
【００２４】
ファインダ３４は、従来の銀塩フィルム用カメラのファインダと同様に、撮影前に撮影画像の確認を行えるようになっているが、光学式のファインダに代えて電子ビューファインダ（ＥＶＦ）が採用されている。このファインダ３４を使用しないで、既述のようにＬＣＤ２８を使用することもできる。
【００２５】
ファインダ３４の左側に隣接して設けられたファインダＬＥＤ２０は、各状態を表示するためのもので、たとえば、緑色が点灯している場合は、準備完了を示し、橙色が点滅している場合は、ストロボ充電中又はＰＣ通信中を示し、操作できない旨の警告となる。
【００２６】
モードスイッチ３０は、十字カーソルボタン３２の外周に配置されたリング部材からなり、時計回転方向及び反時計回転方向の両方向に回動自在となっている。このモードスイッチ３０は、カメラのモードを変更などするもので、このモードスイッチ３０を回動操作することにより、たとえば、撮影を行う撮影モード、撮影した画像の再生を行う再生モードなど、各種設定モードの選択を行うことができる。
【００２７】
十字カーソルボタン３２は、上下左右のいずれかの縁部（上／下／左／右キー）を押圧することによって十字カーソルボタン３２が傾き、対応する４方向（上、下、右、左）の指示を入力できるようにしたもので、前述した設定モードの各種設定項目の選択や、設定内容の変更、再生コマの送り／戻しを指示する操作ボタンとして使用される。また、これに加えて十字カーソルボタン３２は、ズーム中心位置手段における操作部として用いられ、ズーム中心位置を十字カーソルボタン３２の押圧された４方向（上、下、右、左）に応じて移動させて、任意位置（撮影者の所望の位置）に移動できる。
【００２８】
ズーム拡大ボタン４４及びズーム縮小ボタン４６は、十字カーソルボタン３２に近接するように設けられ、これらは後述するズーム倍率指示手段における操作部として用いられる。ズーム拡大／縮小ボタン４４、４６によってデジタルズーム領域（再生ズーム領域）を変更して任意の大きさ（撮影者の所望のズーム倍率）に変更できる。
【００２９】
また、図３には示されていないが、デジタルカメラ１０の内部には、記録媒体としてメモリカード６４を装着するメモリスロットが設けられている。このメモリカード６４にデジタルカメラ１０に内蔵されたカードリーダ／ライタ装置（図４参照）６３によって、撮影された画像が画像データとして記録されて保存されるほか、記録済みの画像をメモリカード６４から読み取ることも可能である。なお、本実施の形態においては、メモリカード６４としてはたとえばスマートメディアが使用されるが、記録媒体としてＰＣカード、フラッシュメモリーカード、ＩＣカード、フロッピーディスク、光磁気ディスク（ＭＯ）などを用いてもよい。
【００３０】
図４は、上記デジタルカメラ１０の内部構成を示したブロック図である。デジタルカメラ１０は主としてズーム倍率指示手段及びズーム中心位置指示手段を構成する操作基板７０、中央処理装置（ＣＰＵ）５０、ＣＣＤ５２、アナログ信号処理部５４、枠表示手段及び画像取込手段を構成するデジタル信号処理部５８、表示手段を構成する表示メモリ６６、ファインダ３４、ＬＣＤ２８、カードリーダライタ装置６３、メモリカード６４などから構成される。
【００３１】
操作基板７０は、図１乃至図３に示された各種操作部材の夫々と回路接続されており、撮影者によるこれら操作部材の操作（たとえばモードスイッチ３０の回転操作など）に基づいて、ＣＰＵ５０に指示信号を出力する。特に、操作基板７０はズーム拡大／縮小ボタン４４、４６、十字カーソルボタン３２、表示ボタン４２と回路接続されており、ズーム拡大ボタン４４の押圧操作によって、操作基板７０からＣＰＵ５０にズーム倍率の指示信号を出力するほか、後述するように操作基板７０からＣＰＵ５０に、各ボタンに対応した指示信号を出力する。
【００３２】
また、既述のように、表示ボタン４２はＬＣＤ２８の表示の有無をオン／オフ切り替えできる。なお、図４においては、これらズーム拡大ボタン４４、ズーム縮小ボタン４６、十字カーソルボタン３２、表示ボタン４２を例として示し、他の操作部材はその表記を省略してある。
【００３３】
ＣＰＵ５０は、操作基板７０からの指示信号の入力に基づいて、デジタル信号処理部５８に制御信号を出力するとともに、各回路を総括的に制御する。また、ＣＰＵ５０にはファインダＬＥＤ２０が回路接続されており、ズーミングを行いズーム倍率を変更する際に、ズーム・アップかズーム・バックかの判断ができるようなランプ表示ができるようになっている。
【００３４】
また、ＣＰＵ５０は、レンズ駆動部１２Ａを制御して、撮影レンズ１２を駆動させ、ズーム動作（ズーミングモータ等による）、フォーカス制御（焦点調整モータ等による）等を行わせる。
【００３５】
ＣＣＤ（撮像素子）５２は、撮影レンズ１２から取り込まれて結像された被写体光を、入射光量に応じた量の信号電荷に変換する。この信号電荷は電圧信号（画像信号）として順次ＣＣＤ５２から読み出されて、アナログ信号処理部５４に加えられる。なお、撮像素子としてはこのＣＣＤに限らず、後述するＣＭＯＳイメージセンサーなどを用いてもよい。
【００３６】
アナログ信号処理部５４は、ＣＣＤ５２から加えられた画像信号にサンプリングやホワイトバランス調整などの所要のアナログ処理を施す。また、アナログ処理された画像信号をＡ／Ｄ変換器５６によって画像データ（デジタルデータ）に変換させ、デジタル信号処理部５８に出力させる。なお、ＣＣＤ５２、アナログ信号処理部５４及びＡ／Ｄ変換器５６は、タイミングジェネレータ（ＴＧ）５７からのタイミング信号により同期して動作される。
【００３７】
デジタル信号処理部５８は、アナログ信号処理部５４（Ａ／Ｄ変換器５６）から入力された画像データ（ＣＣＤ５２の全画素領域の画像データ）に、必要に応じてガンマ補正などのデジタル処理を施し、この画像データを表示メモリ６６（メモリ６０）に出力する。また、ＣＰＵ５０からズーム中心位置ズーム倍率を制御する制御信号がデジタル信号処理部５８に入力されることにより、前述したガンマ補正などのデジタル処理に加えて、画像データからズーム中心位置を中心としたズーム倍率の画像データを切り出して１画面分の画像を生成し、この画像をデジタルズーム領域の画像として取り込むデジタルズーム処理が行われる。
【００３８】
また、枠表示手段を構成するデジタル信号処理部５８では、デジタルズーム処理された画像データに対して拡大枠の画像データの付加を行う。この拡大枠は、ＣＣＤ５２によって撮像された全画素領域（または記録媒体に記録された画像の全領域）に対するデジタルズーム領域（撮影者によって十字カーソルボタン３２、ズーム拡大／縮小ボタン４４、４６を操作して指示される）に基づいて、デジタルズーム領域の大きさ位置を全画素領域（または全領域）に対して相対的に示したものである。拡大枠が付加された画像データは表示メモリ６６に出力される。
【００３９】
メモリカード６４は画像データを記録保存する。モードスイッチ３０（図３参照）を撮影モードとし、シャッタボタン２２（図２参照）の押圧操作による記録指示入力があると、ＣＰＵ５０からデジタル信号処理部５８に制御信号が出力され、ＣＣＤ５２から１コマ分の画像データが読み込まれ、デジタル信号処理部５８にて上述したデジタル処理またはデジタルズーム処理が施された後、この画像データがメモリ６０に書き込まれる。なお、メモリ６０に書き込まれる画像データには、拡大枠の付加は行われない。メモリ６０に書き込まれた画像データは圧縮伸張回路６２によって圧縮処理されて、カードリーダ／ライタ装置６３によってメモリカード６４に記録されて保存される。
【００４０】
ＬＣＤ２８及びファインダ３４は、表示メモリ６６に書き込まれた画像（スルー動画）を表示する。モードスイッチ３０を撮影モードとし、表示ボタン４２によってスルー動画の表示をオンにすると（図３参照）、デジタル信号処理部５８にはＣＣＤ５２から画像データが連続して読み込まれ、デジタル信号処理部５８によるデジタル処理など（デジタルズーム処理や拡大枠の付加）が連続して画像データに施された後、その画像データが表示メモリ６６に書き込まれる。表示メモリ６６の画像データは順次新しく読み込まれた画像データによって書き換えられ、これによりＬＣＤ２８及びファインダ３４にてスルー動画が表示される。
【００４１】
また、ＬＣＤ２８には、メモリカード６４に記録保存されている画像も表示できる。モードスイッチ３０を再生モードとし、所定の操作によってメモリカード６４に記録されたいずれかの画像データの再生を指定すると、その画像データがメモリカード６４からカードリーダ／ライタ装置６３によって読み出され、圧縮伸張回路６２によって伸張処理された後、デジタル信号処理部５８にてデジタル処理などが行われ、表示メモリ６６を介してＬＣＤ２８に表示される。
【００４２】
なお、ＬＣＤ２８は画角が撮影者に把握できればよいので、一般的にパソコンなどで用いられる液晶モニタと比較して、画素数の少ないもの（解像度の低いもの）を用いてもよい。これに伴い、デジタル信号処理部５８から表示メモリ６６に書き込まれる画像データも、画像データのデータ数を間引いた解像度の低いものを用いることができる。
【００４３】
このような構成のデジタルカメラ１０によって、デジタル信号処理部５８においてデジタル処理などが行なわれた画像データはＬＣＤ２８又はファインダ３４にて表示され、撮影者は、ＬＣＤ２８又はファインダ３４にてＣＣＤの全画素領域の画像を確認できる（等倍撮影）。また、撮影者によって十字カーソルボタン３２またはズーム拡大／縮小ボタン４４、４６が押圧操作されると、デジタル信号処理部５８においてデジタルズーム処理が行なわれ、拡大枠が付加された画像データがＬＣＤ２８又はファインダ３４にて表示され、撮影者は、ＬＣＤ２８又はファインダ３４にてズーム倍率ズーム中心位置を確認できる（デジタルズーム機能）。
【００４４】
更に、メモリカード６４に記録保存されている画像データに対し、デジタル信号処理部５８においてデジタル処理が行なわれ、撮影者はＬＣＤ２８にてメモリカード６４に記録保存されている画像データを確認できる（等倍再生）。また、このときに撮影者によって十字カーソルボタン３２またはズーム拡大／縮小ボタン４４、４６が押圧操作されるとデジタルズーム処理が行なわれ、拡大枠が付加された画像データがＬＣＤ２８にて表示される（再生ズーム機能）。
【００４５】
次に、このような構成のデジタルカメラ１０の各実施形態（第１〜第３実施形態）について説明する。
【００４６】
［第１の実施の形態］
本実施形態は、請求項１に対応するもので、電子ファインダが所定の解像度と所定の更新レートに設定される第１の表示モードと、電子ファインダが第１の表示モードの所定の解像度よりも低く、かつ、第１の表示モードの所定の更新レートよりも高い状態である第２の表示モードと、に切り換え可能となっており、自動露出方式のモード選択により、第１の表示モードと第２の表示モードとのいずれかに自動的に切り替えられるようになっていることを特徴とする。
【００４７】
図５は、本実施形態の流れを説明するフローチャートである。このフローは、モードスイッチ３０（図３参照）等の操作により自動露出方式のモードを選択することによりスタートする（ステップＳ１０）。
【００４８】
最初に、ＣＰＵ５０は、現在の自動露出方式のモードがスポーツモードか否かの判定を行う（ステップＳ１２）。判定の結果が、スポーツモードである（Ｙｅｓ）場合には、ステップＳ１４に進み、ファインダ３４を第２の表示モード（高速モード）に切り替える。なお、既に第２の表示モードになっている場合には、そのままとする。
【００４９】
この第２の表示モードの所定の解像度と所定の更新レートは、たとえば、解像度を３２０×２４０とでき、更新レートを３０フレーム毎秒とできる。
【００５０】
ステップＳ１４において、ファインダ３４を第２の表示モードにセットした後、次ステップであるステップＳ３０に進む。
【００５１】
一方、先のステップＳ１２において、判定の結果が、スポーツモードでない（Ｎｏ）場合には、ステップＳ１６に進み、現在の自動露出方式のモードがポートレートモードか否かの判定を行う。ステップＳ１６において、判定の結果が、ポートレートモードである（Ｙｅｓ）場合には、ステップＳ１８に進み、ファインダ３４を第１の表示モード（精細モード）に切り替える。なお、既に第１の表示モードになっている場合には、そのままとする。
【００５２】
ステップＳ１８において、ファインダ３４を第１の表示モードにセットした後、次ステップであるステップＳ３０に進む。
【００５３】
一方、先のステップＳ１６において、判定の結果が、ポートレートモードでない（Ｎｏ）場合には、ステップＳ２０に進む。このステップＳ２０において、初期設定のモードを不揮発性メモリから読み出す。
【００５４】
次いで、初期設定のモードが第１の表示モードであるか否かの判定を行う（ステップＳ２２）。判定の結果が、第１の表示モードである（Ｙｅｓ）場合には、ステップＳ２４に進み、ファインダ３４を第１の表示モード（精細モード）にセットし、次ステップであるステップＳ３０に進む。
【００５５】
一方、判定の結果が、第１の表示モードでない（Ｎｏ）場合には、ステップＳ２６に進み、ファインダ３４を第２の表示モード（高速モード）にセットし、次ステップであるステップＳ３０に進む。
【００５６】
次に、ステップＳ３０において、各モードの撮影条件を設定する。次いで、ステップＳ３２に移り、デジタルカメラ１０を撮影スタンバイ状態にセットして、終了する（ステップＳ９９９）。
【００５７】
以上、第１の実施の形態によれば、ファインダ３４（ＥＶＦ）が、第１の表示モードと、この解像度よりも低く、かつ、この更新レートよりも高い第２の表示モードと、に切り換え可能となっており、自動露出方式のモード選択により、いずれかに自動的に切り替えられる。これにより、スポーツモード時には、第２の表示モードによって動きが追いやすくなり、ポートレートの撮影時には、第１の表示モードによりピント確認が容易であり解像度を高くできる。したがって、自動的にファインダ３４の視認性を向上させることができる。
【００５８】
［第２の実施の形態］
本実施形態は、請求項２に対応するもので、電子ファインダが所定の解像度と所定の更新レートに設定される第１の表示モードと、電子ファインダが第１の表示モードの所定の解像度よりも低く、かつ、第１の表示モードの所定の更新レートよりも高い状態である第２の表示モードと、に切り換え可能となっており、撮影レンズのズーム状態が広角側にある場合に第１の表示モードに切り替えられ、撮影レンズのズーム状態が望遠側にある場合に第２の表示モードに切り替えられるようになっていることを特徴とする。
【００５９】
図６は、本実施形態の流れを説明するフローチャートである。このうち、（ａ）は、ズームアップする際の処理の流れを示し、（ｂ）は、ズームアウトする際の処理の流れを示す。
【００６０】
図６（ａ）において、最初に、ＣＰＵ５０は、ズームボタン（ズーム拡大ボタン４４）がＯＦＦ状態になったか否かの判定を行う（ステップＳ５０）。判定の結果が、ＯＦＦ状態である（Ｙｅｓ）場合には、処理を終了する（ステップＳ９９９）。
【００６１】
一方、判定の結果が、ＯＦＦ状態でない（Ｎｏ）場合には、ステップＳ５２に進み、１回の移動量だけズームアップさせる（ステップＳ５２）。次いで、次ステップにおいて、現在のズーム位置ｚを取得する（ステップＳ５４）。
【００６２】
次いで、判定ズーム位置ｚ１を不揮発性メモリから読み出し（ステップＳ５６）、現在のズーム位置ｚと判定ズーム位置ｚ１とを比較する（ステップＳ５８）。この判定ズーム位置ｚ１は、ズームポジション状態を（０：レンズ沈胴状態、１：ワイド端、１５：テレ端）とした場合、たとえば、ｚ１＝９と設定できる。
【００６３】
比較した結果、現在のズーム位置ｚが判定ズーム位置ｚ１よりＴＥＬＥ側である（Ｙｅｓ）場合には、ステップＳ６０に進み、ファインダ３４を第２の表示モード（高速モード）に切り替える。なお、既に第２の表示モードになっている場合には、そのままとする。
【００６４】
次いで、次ステップにおいて、撮影条件を再計算（ステップＳ６２）した後、ループの最初に戻る。
【００６５】
一方、先のステップＳ５８において、判定の結果、現在のズーム位置ｚが判定ズーム位置ｚ１よりＴＥＬＥ側でない（Ｎｏ）場合には、処理を終了する（ステップＳ９９９）。      
【００６６】
図６（ｂ）において、最初に、ＣＰＵ５０は、ズームボタン（ズーム縮小ボタン４６）がＯＦＦ状態になったか否かの判定を行う（ステップＳ７０）。判定の結果が、ＯＦＦ状態である（Ｙｅｓ）場合には、処理を終了する（ステップＳ９９９）。
【００６７】
一方、判定の結果が、ＯＦＦ状態でない（Ｎｏ）場合には、ステップＳ７２に進み、１回の移動量だけズームアウトさせる（ステップＳ７２）。次いで、次ステップにおいて、現在のズーム位置ｚを取得する（ステップＳ７４）。
【００６８】
次いで、判定ズーム位置ｚ２を不揮発性メモリから読み出し（ステップＳ７６）、現在のズーム位置ｚと判定ズーム位置ｚ２とを比較する（ステップＳ７８）。この判定ズーム位置ｚ２は、先の判定ズーム位置ｚ１と同一でなくてもよく、既述のズームポジション状態において、たとえば、ｚ２＝７と設定できる。
【００６９】
比較した結果、現在のズーム位置ｚが判定ズーム位置ｚ２よりＷＩＤＥ側である（Ｙｅｓ）場合には、ステップＳ８０に進み、ファインダ３４を第１の表示モード（精細モード）に切り替える。なお、既に第１の表示モードになっている場合には、そのままとする。
【００７０】
次いで、次ステップにおいて、撮影条件を再計算（ステップＳ８２）した後、ループの最初に戻る。
【００７１】
一方、先のステップＳ７８において、判定の結果、現在のズーム位置ｚが判定ズーム位置ｚ２よりＷＩＤＥ側でない（Ｎｏ）場合には、処理を終了する（ステップＳ９９９）。
【００７２】
以上、第２の実施の形態によれば、撮影レンズが広角側（ＷＩＤＥ側）にある場合に第１の表示モードに切り替えられ、撮影レンズが望遠側（ＴＥＬＥ側）にある場合に第２の表示モードに切り替えられるので、たとえば、手ブレに影響されやすい望遠側で更新レートが高い状態になり、ファインダ３４の視認性を向上させることができる。
【００７３】
［第３の実施の形態］
本実施形態は、請求項３に対応するもので、電子ファインダが所定の解像度と所定の更新レートに設定される第１の表示モードと、電子ファインダが第１の表示モードの所定の解像度よりも低く、かつ、第１の表示モードの所定の更新レートよりも高い状態である第２の表示モードと、に切り換え可能となっており、被写界深度が、所定状態よりも深い場合に第１の表示モードに切り替えられ、被写界深度が、所定状態よりも浅い場合に第２の表示モードに切り替えられるようになっていることを特徴とする。
【００７４】
図７は、本実施形態の流れを説明するフローチャートである。このフローは、自動露出制御（ＡＥ）において、露出量を変更した際の処理ルーチンである。
【００７５】
最初に、ＣＰＵ５０は、現在のＩＳＯ感度とＦ値の設定値を取得する（ステップＳ１００）。次いで、図の表（判定値テーブル、実際は不揮発性メモリの内容）より、ＩＳＯ感度に対応する判定Ｆ値を取得する（ステップＳ１０２）。
【００７６】
次いで、現在のＦ値の設定値と取得した判定Ｆ値との大小比較を行う（ステップＳ１０４）。比較の結果、現在のＦ値の設定値が判定Ｆ値より大である（Ｙｅｓ）場合には（この場合、絞りが深い状態である）、ステップＳ１０６に進み、ファインダ３４を第１の表示モード（精細モード）に切り替える。なお、既に第１の表示モードになっている場合には、そのままとする。
【００７７】
この第１の表示モードの所定の解像度と所定の更新レートは、たとえば、解像度を３２０×１２０とでき、更新レートを６０フィールド毎秒とできる。
【００７８】
ステップＳ１０６において、ファインダ３４を第１の表示モードにセットした後、次ステップであるステップＳ１１０に進む。
【００７９】
一方、先のステップＳ１０４において、比較の結果、現在のＦ値の設定値が判定Ｆ値より大でない（Ｎｏ）場合には（この場合、絞りが浅い状態である）、ステップＳ１０８に進み、ファインダ３４を第２の表示モード（高速モード）に切り替える。なお、既に第２の表示モードになっている場合には、そのままとする。
【００８０】
ステップＳ１０８において、ファインダ３４を第２の表示モードにセットした後、次ステップであるステップＳ１１０に進む。
【００８１】
次に、ステップＳ１１０において、他の処理を行い、その後、ループの最初に戻る（Ｒｅｔｕｒｎ）。
【００８２】
以上、第３の実施の形態によれば、被写界深度が深い場合に第１の表示モードに切り替えられ、被写界深度が浅い場合に第２の表示モードに切り替えられるので、速い追随性を要求されるピントが狭い場合、及び、解像度が要求される絞られている場合のいずれにも対応でき、ファインダ３４の視認性を向上させることができる。
【００８３】
以上、本発明に係る撮影装置の実施形態について説明したが、本発明は上記実施形態に限定されるものではなく、各種の態様が採り得る。
【００８４】
たとえば、本実施形態では、デジタルカメラにおいて本発明を適用した場合について説明したが、本発明は、撮像素子によって電気信号で画像を取得するデジタルカメラ全てに適用できるので、レンズ交換が可能なデジタルカメラとしてレフレックスデジタルカメラ（一眼レフデジタルカメラ）にも適用できる。
【００８５】
また、本発明は、デジタルカメラのみならず他の撮影装置、たとえばカメラ付き携帯電話機にも適用できる。
【図面の簡単な説明】
【００８６】
【図１】本発明の実施形態に係るデジタルカメラの外観を示した正面図。
【図２】本発明の実施形態に係るデジタルカメラの外観を示した平面図。
【図３】本発明の実施形態に係るデジタルカメラの外観を示した背面図。
【図４】本発明の実施形態に係るデジタルカメラの内部構成を示したブロック図。
【図５】本発明の第１の実施形態の流れを説明するフローチャート
【図６】本発明の第２の実施形態の流れを説明するフローチャート
【図７】本発明の第３の実施形態の流れを説明するフローチャート
【符号の説明】
【００８７】
１０…デジタルカメラ、２０…ファインダＬＥＤ、２８…液晶モニタ（表示手段）、３４…ファインダ（表示手段）、４２…表示ボタン、４４…ズーム拡大ボタン（ズーム倍率指示手段）、４６…ズーム縮小ボタン（ズーム倍率指示手段）、５２…ＣＣＤ（撮像素子）、５８…デジタル信号処理部（画像取り込み手段）、６４…メモリカード（記録媒体）、６６…表示メモリ（表示手段）
【図１】
2006025008.tif 000003
【図２】
2006025008.tif 000004
【図３】
2006025008.tif 000005
【図４】
2006025008.tif 000006
【図５】
2006025008.tif 000007
【図６】
2006025008.tif 000008
【図７】
2006025008.tif 000009